(57)【要約】【課題】放電ランプの寿命の検出を容易に特定できるインバータ回路用集積回路を備えた放電ランプ点灯装置および照明器具を提供する。【解決手段】放電ランプ点灯装置１は、スイッチ素子ＦＥＴ１，ＦＥＴ２のオンオフ動作により直流電圧を高周波電圧に変換して出力するインバータ回路３と、ランプ寿命検出手段５により放電ランプ４の寿命が検出されたときに制御動作の不動作によりインバータ回路３のスイッチ素子ＦＥＴ１，ＦＥＴ２の動作を停止させるとともに、当該検出に応じて検出信号を出力する出力端子１１を備えたインバータ回路用集積回路６を具備する。【選択図】図１
2006107783.tif 000002
【特許請求の範囲】
【請求項１】
商用交流電圧を直流電圧に変換して出力する直流電圧発生回路と；
スイッチ素子を備え、このスイッチ素子のオンオフ動作により直流電圧を高周波電圧に変換して出力するインバータ回路と；
インバータ回路により点灯される放電ランプと；
放電ランプの寿命を検出するランプ寿命検出手段と；
ランプ寿命検出手段により放電ランプの寿命が検出されたときに制御動作の不動作によりインバータ回路のスイッチ素子のオンオフ動作を停止させるとともに、当該検出に応じて検出信号を出力する出力端子を備えたインバータ回路用集積回路と；
を具備していることを特徴とする放電ランプ点灯装置。
【請求項２】
請求項１記載の放電ランプ点灯装置と；
放電ランプ点灯装置を配設している照明器具本体と；
照明器具本体に配設された補助灯と；
インバータ回路用集積回路の出力端子から出力された検出信号に応じて補助灯を点灯させる点灯回路と；
を具備していることを特徴とする照明器具。
【発明の詳細な説明】
【技術分野】
【０００１】
本発明は、放電ランプの寿命末期を検出する放電ランプ点灯装置および照明器具に関する。
【背景技術】
【０００２】
この種の放電ランプ点灯装置は、直流電圧を高周波電圧に変換するインバータ回路から高周波電圧が放電ランプに供給され、放電ランプが点灯している。そして、インバータ回路をワンチップで構成されたインバータ回路用集積回路で制御するとともに、このインバータ回路用集積回路に、放電ランプの寿命末期時に検出信号が入力され、インバータ回路の発振を停止させる異常検出機能を設けたものが提案されている（例えば、特許文献１参照。）。そして、インバータ回路の発振が停止することにより、放電ランプは消灯する。
【特許文献１】特開２００３−２０３７９５号公報（第１８−１９頁、第５図）
【発明の開示】
【発明が解決しようとする課題】
【０００３】
特許文献１の放電ランプ点灯装置は、放電ランプの寿命末期のときの他に、放電ランプが正常に装着されていないときやインバータ回路のスイッチング素子に進相電流が流れたときなどの各種異常を検出したときにもインバータ回路の発振を停止させている。そして、当該発振の停止は、通常、制御動作の電源を停止させることにより行なわれている。この結果、インバータ回路の発振が停止して放電ランプが消灯したときに、放電ランプの寿命末期の検出によるものか、その他の異常検出によるものかを特定しづらいという問題がある。
【０００４】
また、近年、双方向通信などの普及により、点灯状態を認識したいという需要が増えてきているが、集積回路を停止した状態では容易に点灯状態を判定できない問題がある。
【０００５】
本発明は、放電ランプの寿命の検出を容易に特定できるインバータ回路用集積回路を備えた放電ランプ点灯装置および照明器具を提供することを目的とする。
【課題を解決するための手段】
【０００６】
請求項１に記載の放電ランプ点灯装置の発明は、商用交流電圧を直流電圧に変換して出力する直流電圧発生回路と；スイッチ素子を備え、このスイッチ素子のオンオフ動作により直流電圧を高周波電圧に変換して出力するインバータ回路と；インバータ回路により点灯される放電ランプと；放電ランプの寿命を検出するランプ寿命検出手段と；ランプ寿命検出手段により放電ランプの寿命が検出されたときに制御動作の不動作によりインバータ回路のスイッチ素子のオンオフ動作を停止させるとともに、当該検出に応じて検出信号を出力する出力端子を備えたインバータ回路用集積回路と；を具備していることを特徴とする。
【０００７】
ランプ寿命検出手段は、ランプ電圧の上昇または低下、不点、半波放電など、放電ランプの寿命を検出するものであればよい。
【０００８】
本発明によれば、放電ランプの寿命が検出されたときに、インバータ回路のスイッチ素子のオンオフ動作が停止されて放電ランプが消灯するとともに、出力端子に検出信号が出力される。したがって、出力端子の検出信号の有無により、放電ランプの消灯が放電ランプの寿命による検出によるものか、その他の異常検出によるものかが判断される。
【０００９】
請求項２に記載の照明器具の発明は、請求項１記載の放電ランプ点灯装置と；放電ランプ点灯装置を配設している照明器具本体と；照明器具本体に配設された補助灯と；インバータ回路用集積回路の出力端子から出力された検出信号に応じて補助灯を点灯させる点灯回路と；を具備していることを特徴とする。
【００１０】
補助灯は、表示灯や常夜灯など、最低限の明るさが得られる光源を有していればよい。
【００１１】
本発明によれば、放電ランプの寿命の検出に応じて放電ランプが消灯したときに、インバータ回路用集積回路の出力端子から出力された検出信号が点灯回路に入力され、点灯回路により補助灯が点灯される。したがって、補助灯の点灯を視認することにより、放電ランプの消灯が放電ランプの寿命による検出によるものと判断される。また、放電ランプの寿命により放電ランプが消灯しても、補助灯により最低限の明るさが得られる。
【発明の効果】
【００１２】
請求項１の発明によれば、放電ランプが消灯したときに、インバータ回路用集積回路の出力端子の検出信号の有無により放電ランプの寿命が特定されるので、寿命となった放電ランプを迅速に交換することができる。
【００１３】
請求項２の発明によれば、放電ランプの寿命が検出されたときに補助灯が点灯されるので、補助灯の点灯を確認することにより、放電ランプの寿命を容易に特定することができ、放電ランプを迅速に交換することができる。また、放電ランプの寿命により放電ランプが消灯しても、補助灯により、最低限の明るさを得ることができる。
【発明を実施するための最良の形態】
【００１４】
以下、本発明の一実施の形態について、図面を参照して説明する。まず、本発明の第１の実施形態について説明する。
【００１５】
図１は、本発明の第１の実施形態を示す放電ランプ点灯装置の概略回路図である。
【００１６】
放電ランプ点灯装置１は、直流電圧発生回路２、インバータ回路３、放電ランプとしての蛍光ランプ４、ランプ寿命検出手段としてのランプ寿命検出回路５、インバータ回路用集積回路６を有し、さらに補助灯７および補助灯７を点灯させる点灯回路８を有して構成されている。
【００１７】
直流電圧発生回路２は、整流装置９および平滑用コンデンサＣ１を有してなり、商用交流電源Ｖｓの交流電圧を整流、平滑して直流電圧に変換し、直流電圧を平滑用コンデンサＣ１の両端間に出力する。平滑用コンデンサＣ１の負極側は、基板アースＥに接続されている。
【００１８】
インバータ回路３は、平滑用コンデンサＣ１の両端間に直列的に接続されたスイッチ素子としての電界効果トランジスタＦＥＴ１，ＦＥＴ２および電界効果トランジスタＦＥＴ１，ＦＥＴ２のそれぞれのゲートに接続された駆動回路１０を有して構成されている。
【００１９】
駆動回路１０は、インバータ回路用集積回路６から送出された制御信号に応じて電界効果トランジスタＦＥＴ１，ＦＥＴ２のそれぞれのゲートに交互に駆動電圧を供給する。これにより、電界効果トランジスタＦＥＴ１，ＦＥＴ２が交互にオンオフ動作する。このオンオフ動作により、平滑用コンデンサＣ１の両端間の直流電圧は、高周波電圧に変換され、電界効果トランジスタＦＥＴ２のドレイン、ソース間に出力される。
【００２０】
電界効果トランジスタＦＥＴ２のドレイン、ソース間には、インダクタＬ１、直流カット用コンデンサＣ２および蛍光ランプ４の直列回路が接続されている。そして、蛍光ランプ４のフィラメント電極４ａ，４ｂ間の非電源側に始動用コンデンサＣ３が接続されている。
【００２１】
インバータ回路３から出力された高周波電圧は、インダクタＬ１、直流カット用コンデンサＣ２および始動用コンデンサＣ３の共振により共振電圧に変換される。共振電圧は、蛍光ランプ４のフィラメント電極４ａ，４ｂを予熱させるとともに、フィラメント電極４ａ，４ｂ間に印加され、蛍光ランプ４を点灯させる。
【００２２】
ランプ寿命検出回路５は、直流カット用コンデンサＣ２および蛍光ランプ４の間に設けられ、フィラメント電極４ａ，４ｂ間に接続された抵抗Ｒ１および抵抗Ｒ２の直列回路からなっている。そして、抵抗Ｒ２の両端電圧がインバータ回路用集積回路６に入力されている。ランプ寿命検出回路５は、蛍光ランプ４のランプ電圧を検出するものであり、ランプ電圧が所定電圧以上に上昇すると、インバータ回路用集積回路６により、寿命と判断される。このように、ランプ寿命検出回路５は、蛍光ランプ４の寿命を検出している。
【００２３】
インバータ回路用集積回路６は、ワンチップで構成されている。そして、ランプ寿命検出回路５に接続され、抵抗Ｒ２の両端電圧により蛍光ランプ４の寿命末期を判断している。また、駆動回路１０に接続されており、電界効果トランジスタＦＥＴ１，ＦＥＴ２を所定のスイッチング周波数でオンオフ動作させる制御信号を送出するように構成されている。
【００２４】
そして、インバータ回路用集積回路６は、ランプ寿命検出回路５により蛍光ランプ４の寿命が検出されたときに、制御電源を停止して、制御動作を不動作させるように構成されている。これにより、駆動回路１０に制御信号が送出されなくなり、インバータ回路３の電界効果トランジスタＦＥＴ１，ＦＥＴ２のオンオフ動作が停止される。すなわち、制御電源を停止して、制御動作を不動作させることにより、省電力化が図られている。
【００２５】
また、出力端子１１を備えており、前記制御電源を停止して制御動作を不動作させたときに、出力端子１１に検出信号、例えばＤＣ５Ｖを出力するように構成されている。すなわち、インバータ回路用集積回路６には、蛍光ランプ４の寿命の検出に応じて、検出信号（ＤＣ５Ｖ）を出力する出力端子１１が設けられている。
【００２６】
なお、インバータ回路用集積回路６には、蛍光ランプ４の脱着を検出する脱着検出回路や直流電圧発生回路の出力電圧（直流電圧）を検出する入力電圧検出回路など、図示しない異常検出回路が接続されている。そして、この異常検出回路が異常を検出したときにおいても、インバータ回路用集積回路６は、制御電源を停止して制御動作を不動作させて、蛍光ランプ４を消灯させるように構成されている。このとき、異常検出回路の異常の検出に応じて、蛍光ランプ４の寿命の検出のときと異なる検出信号を出力する出力端子が設けられていてもよい。
【００２７】
また、放電ランプ４の寿命の検出は、ランプ寿命検出回路５に限らず、例えば蛍光ランプ４の半波放電を検出する半波放電検出回路やランプ電流を検出するランプ電流検出回路であってもよく、あるいは、これらをランプ寿命検出回路５に付加させてもよい。
【００２８】
そして、補助灯７は、直流電圧発生回路２の直流電圧が供給されて点灯する。補助灯７は、例えば照明器具本体に配設されている。
【００２９】
点灯回路８は、直流電圧発生回路２の平滑用コンデンサＣ１の両端間に、補助灯７を介して接続された限流用の抵抗Ｒ３およびスイッチ素子としての電界効果トランジスタＦＥＴ３の直列回路を有して構成されている。すなわち、平滑用コンデンサＣ１の両端間に補助灯７、抵抗Ｒ３および電界効果トランジスタＦＥＴ３の直列回路が接続されている。
【００３０】
そして、電界効果トランジスタＦＥＴ３のゲートは、電圧調整用の抵抗Ｒ４を介してインバータ回路用集積回路６の出力端子１１に接続されている。電界効果トランジスタＦＥＴ３は、出力端子１１に検出信号（ＤＣ５Ｖ）が出力されると、オンする。これにより、補助灯７は、抵抗Ｒ３および電界効果トランジスタＦＥＴ３を介して平滑用コンデンサＣ１の両端間に電気的に接続され、電流が流れて点灯する。このように、点灯回路８は、出力端子１１から出力された検出信号（ＤＣ５Ｖ）に応じて補助灯７を点灯させる。
【００３１】
次に、本発明の第１の実施形態の作用について説明する。
【００３２】
商用交流電源Ｖｓが投入されると、インバータ回路用集積回路６は、インバータ回路３の電界効果トランジスタＦＥＴ１，ＦＥＴ２を交互にオンオフ動作させる制御信号を駆動回路１０に出力して、電界効果トランジスタＦＥＴ１，ＦＥＴ２をオンオフ動作させる。これにより、インバータ回路３から高周波電圧が出力され、蛍光ランプ４が点灯する。
【００３３】
蛍光ランプ４のランプ電圧は、常時、ランプ寿命検出回路５により検出されている。そして、ランプ電圧が所定電圧以上になると、蛍光ランプ４の寿命末期がインバータ回路用集積回路６で判断され、蛍光ランプ４の寿命が検出される。
【００３４】
蛍光ランプ４の寿命が検出されると、インバータ回路用集積回路６は、制御電源を停止して検出動作および制御動作を不動作にする。これにより、駆動回路１０に制御信号が送出されなくなり、インバータ回路３が停止して、蛍光ランプ４が消灯される。そして、インバータ回路用集積回路６は、制御動作の不動作に応じて、すなわち蛍光ランプ４の寿命の検出に応じて、出力端子１１に検出信号（ＤＣ５Ｖ）を出力する。
【００３５】
出力端子１１に出力された検出信号は、点灯回路８の電界効果トランジスタＦＥＴ３のゲートに印加される。これにより、電界効果トランジスタＦＥＴ３がオンし、補助灯７が直流電圧発生回路２から給電されて点灯する。
【００３６】
上述したように、インバータ回路用集積回路６は、蛍光ランプ４の寿命の検出に応じて蛍光ランプ４を消灯させるとともに、補助灯７を点灯させる。したがって、蛍光ランプ４が消灯したときに補助灯７の点灯を確認することにより、蛍光ランプ４の消灯が他の異常状態の検出によるものではなく、蛍光ランプ４の寿命の検出によるものと判断することができる。そして、蛍光ランプ４の寿命が特定されるので、寿命となった蛍光ランプ４を迅速に交換することができる。また、補助灯７により、最低限の明るさが得られる。
【００３７】
次に、本発明の第２の実施形態について説明する。
【００３８】
図２は、本発明の第２の実施形態を示す放電ランプ点灯装置の概略回路図である。なお、図１と同一部分には同一符号を付して説明は省略する。
【００３９】
図２に示す放電ランプ点灯装置１２は、図１に示す放電ランプ点灯装置１において、補助灯７および点灯回路８を設けず、伝送信号ユニット１３を設けている。そして、インバータ回路用集積回路６の出力端子１１は、伝送信号ユニット１３に接続されている。
【００４０】
伝送信号ユニット１３は、出力端子１１に出力された検出信号を入力して、検出信号を放電ランプ点灯装置１２のアドレスを付与した伝送フォーマットに変換して信号線１４を介して、例えば遠隔地の監視装置に伝送するように構成されている。
【００４１】
ランプ寿命検出回路５により蛍光ランプ４の寿命が検出されると、設置場所の特定された放電ランプ点灯装置１２の蛍光ランプ４が寿命になったことが例えば監視装置で確認することができる。これにより、蛍光ランプ４のランプ交換が迅速に行える。
【００４２】
次に、本発明の第３の実施形態について説明する。
【００４３】
図３は、本発明の第３の実施形態を示す照明器具の一部切り欠き側面図である。なお、図１と同一部分には同一符号を付して説明は省略する。
【００４４】
図３に示す照明器具１５は、蛍光ランプ４Ａ，４Ｂを搭載しているペンダントである。そして、補助灯としての常夜灯７Ａ，７Ｂおよび蛍光ランプ４Ａ，４Ｂは、照明器具本体１６に配接されている。
【００４５】
照明器具本体１６は、シャーシ１７、セード１８、蛍光ランプ４Ａ，４Ｂ、ランプホルダー１９、常夜灯７Ａ，７Ｂ、放電ランプ点灯装置１Ａ，１Ｂ、切換スイッチ２０、ペンダントコード２１、コードホルダー２２および引掛けシーリングキャップ２３などを備えている。
【００４６】
シャーシ１７は、内部に、放電ランプ点灯装置１Ａ，１Ｂ、切換スイッチ２０を収納し、側面周縁にランプホルダー１９を固定し、上面でセード１８を支持している。蛍光ランプ４Ａ，４Ｂは、ランプホルダー１９を介してシャーシ１７に支持されている。常夜灯７Ａ，７Ｂは、シャーシ１７の下面から露出している。
【００４７】
そして、ペンダントコード２１は、シャーシ１７の上面からコードホルダー２２を介して導出されている。コードホルダー２２は、ペンダントコード２１の長さを調節可能にしている。引掛けシーリングキャップ２３は、ペンダントコード２１の先端に接続していて、部屋の天井に設けられている引掛けシーリングボディに電気的に接続するとともに、機械的に支持されることによって、照明器具本体１６を天井から垂下する。
【００４８】
照明器具１５は、蛍光ランプ４Ａが寿命末期となって放電ランプ点灯装置１Ａにより消灯されると、常夜灯７Ａが点灯する。また、蛍光ランプ４Ｂが寿命末期となって放電ランプ点灯装置１Ｂにより消灯されると、常夜灯７Ｂが点灯する。常夜灯７Ａ（７Ｂ）の点灯を確認することにより、蛍光ランプ４Ａ（４Ｂ）が寿命となったことにより、蛍光ランプ４Ａ（４Ｂ）が消灯されたものと判断される。これにより、蛍光ランプ４Ａ（４Ｂ）の交換が迅速に行える。また、常夜灯７Ａ（７Ｂ）により、最低限の明るさが得られる。
【００４９】
なお、常夜灯７Ａおよび常夜灯７Ｂの光色は、異なっていてもよい。これにより、蛍光ランプ４Ａ，４Ｂとの対応関係が行いやすくなる。
【図面の簡単な説明】
【００５０】
【図１】本発明の第１の実施形態を示す放電ランプ点灯装置の概略回路図。
【図２】本発明の第２の実施形態を示す放電ランプ点灯装置の概略回路図。
【図３】本発明の第３の実施形態を示す照明器具の一部切り欠き側面図。
【符号の説明】
【００５１】
１，１２…放電ランプ点灯装置
２…直流電圧発生回路
３…インバータ回路
４…放電ランプとしての蛍光ランプ
５…ランプ寿命検出手段としてのランプ寿命検出回路
６…インバータ回路用集積回路
７…常夜灯
８…点灯回路
１５…照明器具
１６…照明器具本体
【図１】
2006107783.tif 000003
【図２】
2006107783.tif 000004
【図３】
2006107783.tif 000005